(57)【特許請求の範囲】
【請求項１】
錠ケースの室外側壁を貫通して後端部が錠ケース内に位置し、先端部が扉の室外壁面を貫通して外部に露出する取り付けとされる筒状のシリンダボディと、そのシリンダボディ内に組み込まれたシリンダと、前記シリンダボディの外部に露出する先端部に嵌合されたカラーと、そのカラーを扉の室外壁面に向けて付勢するコイルスプリングと、前記シリンダボディの先端部に嵌合されて前記カラーおよびコイルスプリングを抜止めとする保護キャップを有してなり、前記シリンダが外筒および内筒を備え、その内筒に形成されたキー孔内に挿し込まれるキーによって内筒が回動操作されるようになっており、
前記保護キャップの内側において前記シリンダボディの端部にインナキャップを嵌合し、そのインナキャップとシリンダボディの相互間に、インナキャップの嵌合によって周方向に係合する回り止め手段と、前記インナキャップの嵌合によって軸方向に係合する抜止め手段とを設け、前記インナキャップに径方向に弾性変形可能な抜止め片を設け、その抜止め片の先端部外周に突起部を設け、前記保護キャップには前記突起部が嵌合される係合孔を設け、その係合孔を扉への取付け状態でカラーによって覆われる位置とした扉錠におけるシリンダ装置において、
前記回り止め手段が、前記インナキャップの内周に形成された軸方向に延びる回り止め突条と、前記シリンダボディの先端部外周に形成されて前記回り止め突条が嵌合される軸方向溝からなることを特徴とする扉錠におけるシリンダ装置。
【請求項２】
前記抜止め手段が、前記インナキャップに径方向に弾性変形可能な複数の係合爪片を周方向に間隔をおいて設け、その係合爪片の先端部に内向きの鉤部を形成し、前記シリンダボディの先端部外周に、前記鉤部が係合される周方向溝を設けた構成からなる請求項１に記載の扉錠におけるシリンダ装置。
【請求項３】
前記複数の係合爪片のそれぞれ外周に先端に向けて薄肉厚とするテーパ面を設け、そのテーパ面の周方向の中央部に、前記保護キャップの嵌合による組み付け時に、外周面で保護キャップを摺動案内するガイド突条を設けた請求項２に記載の扉錠におけるシリンダ装置。
【発明の詳細な説明】
【技術分野】
【０００１】
この発明は、住宅の玄関扉などに設けられる扉錠のシリンダ装置に関する。
【背景技術】
【０００２】
玄関扉に設けられる扉錠は、例えば、下記特許文献１に記載されるように、扉の戸先側端面に埋設される錠ケースと、その錠ケースのフロント裏板およびそのフロント裏板にねじ止めされたフロントプレートを貫通するようにして形成されたボルト挿入孔から出没可能なデッドボルトと、扉の室外壁面に設けられ、キーの操作によってデッドボルトを進退させるシリンダ装置と、扉の室内壁面に設けられ、摘みの回転操作によってデッドボルトを進退させるサムターン装置とを有している。
【０００３】
ここで、シリンダ装置は、シリンダボディを有し、そのシリンダボディに形成された軸方向のシリンダ挿入孔内にシリンダを組み込んでいる。シリンダは、外筒と、その内側に組み込まれた内筒からなり、上記内筒に形成されたキー孔内にキーを挿入することにより解錠状態とされて内筒の回転操作を可能とし、その内筒の回転によってデッドボルトを進退させるようにしている。
【０００４】
上記シリンダ装置におけるシリンダボディは、その後端部が錠ケースの室外側壁を貫通して錠ケースの内部に位置し、先端部が扉の室外壁から外部に露出する組み込みとされ、錠ケースのフロント裏板から差し込まれる係止ピンをシリンダボディの後端部に形成されたピン孔に差し込むことによって取付け状態とされる。
【０００５】
上記特許文献には記載されていないものの、一般的な扉錠におけるシリンダ装置においては、シリンダボディの外部に露出する先端部に化粧用のカラーと、そのカラーを扉の室外壁に向けて付勢するコイルスプリングと、保護キャップとを嵌合し、上記カラーによって扉の室外壁に形成されたボディ組込み孔の内周とシリンダボディの外周間に形成される隙間を覆い、シリンダボディの先端部に固定される上記保護キャップによってコイルスプリングおよびカラーを抜止めしている。
【０００６】
ここで、カラーは、内筒部と、その内筒部の先端から外方に折り返された外筒部を有し、内筒部の軸方向長さは一定とされているが、外筒部の軸方向長さは一定ではなく、その外筒部長さの相違する数種のカラーが用意され、扉の厚さに応じて適切な長さの外筒部を有するカラーがシリンダボディ上への取り付けとされる。
【０００７】
また、カラーは、外筒部の形状や色彩の異なる数種のものが用意され、好みに応じたものが取り付けとされる。
【先行技術文献】
【特許文献】
【０００８】
【特許文献１】特開２００７-３３２６７２号公報
【発明の概要】
【発明が解決しようとする課題】
【０００９】
ところで、シリンダボディの外部に露出する端部に保護キャップを嵌合してカラーを抜止めする従来のシリンダ装置においては、保護キャップを圧入やスプリングピンの打ち込み、あるいは、保護キャップ端部の内向きへの加締めによってシリンダボディへの取付けとしているため、プレス機等の特殊な設備を必要とし、取付けに手間がかかっていた。
【００１０】
また、扉への組み付け後、厚さの異なる扉への取り換えや仕上げ色の変更等の仕様変更に伴ってカラーを取り換えなければならない場合、保護キャップの取り外しを行って交換用カラーの取り付けを行う必要がある。このとき、保護キャップの取付けに特殊な設備を必要とするため、現場で対応することができない場合が生じる。
【００１１】
この発明の課題は、カラー抜止め用の保護キャップを工具を用いることなく簡単に組み付けることができ、しかも、悪戯によって取り外すことができない確実な取り付け状態を得ることができるようにした扉錠におけるシリンダ装置を提供することである。
【課題を解決するための手段】
【００１２】
上記の課題を解決するため、この発明においては、錠ケースの室外側壁を貫通して後端部が錠ケース内に位置し、先端部が扉の室外壁面を貫通して外部に露出する取り付けとされる筒状のシリンダボディと、そのシリンダボディ内に組み込まれたシリンダと、前記シリンダボディの外部に露出する先端部に嵌合されたカラーと、そのカラーを扉の室外壁面に向けて付勢するコイルスプリングと、前記シリンダボディの先端部に嵌合されて前記カラーおよびコイルスプリングを抜止めとする保護キャップを有してなり、前記シリンダが外筒および内筒を備え、その内筒に形成されたキー孔内に挿し込まれるキーによって内筒が回動操作される扉錠におけるシリンダ装置において、前記保護キャップの内側において前記シリンダボディの端部にインナキャップを嵌合し、そのインナキャップとシリンダボディの相互間に、インナキャップの嵌合によって周方向に係合する回り止め手段と、前記インナキャップの嵌合によって軸方向に係合する抜止め手段とを設け、前記インナキャップに径方向に弾性変形可能な抜止め片を設け、その抜止め片の先端部外周に突起部を設け、前記保護キャップには前記突起部が嵌合される係合孔を設け、その係合孔を扉への取付け状態でカラーによって覆われる位置とした構成を採用したのである。
【００１３】
上記の構成からなるシリンダ装置において、そのシリンダ装置の組立てに際しては、シリンダボディの先端部から外側にカラーおよびコイルスプリングを嵌合した後、インナキャップを嵌合し、さらに、その外側に保護キャップを嵌合する。
【００１４】
ここで、インナキャップを嵌合すると、回り止め手段および抜止め手段のそれぞれが係合し、インナキャップは回り止めされ、かつ、抜止めされる。そのインナキャップの取付け後、そのインナキャップの外側に保護キャップを嵌合すると、抜止め片に設けられた突起部が保護キャップに形成された係合孔に係合し、保護キャップが取り付け状態とされ、その保護キャップによってコイルスプリングおよびカラーが抜止めされる。
【００１５】
このように、シリンダボディに対するインナキャップの嵌合後に保護キャップを嵌合する簡単な操作によって保護キャップの取付けとすることができる。
【００１６】
ここで、回り止め手段として、インナキャップの内周に形成された軸方向に延びる回り止め突条と、シリンダボディの先端部外周に形成されて上記回り止め突条が嵌合される軸方向溝からなるものを採用することができる。
【００１７】
また、抜止め手段として、インナキャップに径方向に弾性変形可能な複数の係合爪片を周方向に間隔をおいて設け、その係合爪片の先端部に内向きの鉤部を形成し、シリンダボディの先端部外周に、上記鉤部が係合される周方向溝を設けた構成からなるものを採用することができる。
【００１８】
上記複数の係合爪片のそれぞれ外周に先端に向けて薄肉厚とするテーパ面を設け、そのテーパ面の周方向の中央部に、保護キャップの嵌合による組み付け時に、外周面で保護キャップを摺動案内するガイド突条を設けておくと、保護キャップの内径面とインナキャップの外径面間に微小な径差を形成することができるため、インナキャップに対する保護キャップの初期嵌合を容易とすることができ、保護キャップの取付けの容易化を図ることができる。
【発明の効果】
【００１９】
この発明においては、上記のように、シリンダボディに対するインナキャップの嵌合後、そのインナキャップの外側に保護キャップを嵌合することによって保護キャップの取付けとすることができるため、工具を用いることなく保護キャップを簡単に取り付けることができる。
【００２０】
また、インナキャップの取付けによりシリンダボディとの間に設けた回り止め手段および抜止め手段が係合してインナキャップは回り止めされ、かつ、抜止めされ、そのインナキャップの外側に保護キャップを嵌合すると、突起部が係合孔に係合するため、保護キャップを強固に確実に取り付けることができる。
【００２１】
さらに、係合孔は扉に対する扉錠の取り付け状態でカラーによって覆われる位置に設けられているため、係合孔に対する突起部の係合が悪戯によって係合解除されることはなく、安全性に優れた扉錠を得ることができる。
【００２２】
また、シリンダ装置を錠ケースから取り外すと、コイルスプリングの弾性力によりカラーが後退して係合孔が外部に露出するため、突起部をピンで押し込むことにより、抜止め片が径方向内方に弾性変形して係合孔に対する突起部の係合を解除することができ、保護キャップおよびインナキャップを簡単に取り外すことができ、カラーを簡単に取り換えることができる。
【図面の簡単な説明】
【００２３】
【図１】この発明に係るシリンダ装置を備える扉錠の一部切欠正面図
【図２】この発明に係るシリンダ装置の断面図
【図３】シリンダ装置の縦断面図
【図４】インナキャップの回り止め手段を示す断面図
【図５】インナキャップの抜止め手段を示す断面図
【図６】インナキャップと保護キャップの係合部を示す断面図
【図７】インナキャップと保護キャップの係合解除状態を示す断面図
【図８】シリンダ装置を形成する各種部品の分解斜視図
【図９】インナキャップを示す斜視図
【発明を実施するための形態】
【００２４】
以下、この発明の実施形態を図面に基づいて説明する。図１に示すように、扉錠１０は、扉Ａの戸先側端面に埋設される錠ケース１１と、その錠ケース１１のフロント裏板１２およびそのフロント裏板１２にねじ止めされたフロントプレート１３を貫通するようにして形成されたボルト挿入孔１４から出没自在とされたデッドボルト１５と、錠ケース１１の室外側壁１１ａに設けられたシリンダ装置２０と、上記錠ケース１１の室内側壁１１ｂに設けられたサムターン装置８０とからなる。
【００２５】
サムターン装置８０は、扉Ａの室内壁面ｂを貫通して室内に臨む端部に摘み８１を有し、その摘み８１を回転させることにより、その回転運動は錠ケース１１内に組み込まれた図示省略の運動変換機構によりデッドボルト１５の直線運動に変換されて、そのデッドボルト１５が進退される。
【００２６】
図２、図３および図８に示すように、シリンダ装置２０は、シリンダボディ２１と、そのシリンダボディ２１内に組み込まれたシリンダ３０と、上記シリンダボディ２１の外側に嵌合されたカラー４０と、そのカラー４０を錠ケース１１の室外側壁１１ａに向けて付勢するコイルスプリング４４と、上記シリンダボディ２１の先端部に装着された保護キャップ５０と、その保護キャップ５０をシリンダボディ２１に固定するインナキャップ６０とからなる。
【００２７】
シリンダボディ２１は、その後端部が錠ケース１１の室外側壁１１ａを貫通し、錠ケース１１内に位置する後端部の外周に一対の突出部２２が対向位置に設けられ、各突出部２２に形成されたピン孔２３に係止ピン２４が挿入されている。
【００２８】
係止ピン２４は、錠ケース１１のフロント裏板１２を貫通する挿し込みとされ、ピン孔２３に対する係止ピン２４の挿入によって錠ケース１１にシリンダボディ２１の後端部が固定の支持とされている。
【００２９】
シリンダボディ２１は、先端部が扉Ａの室外壁面ａに形成された開口部ｃを貫通し、外部に臨む先端部には小径部２５が設けられている。
【００３０】
図３に示すように、シリンダボディ２１は筒状をなし、その軸心上に設けられたシリンダ挿入孔２６内にシリンダ３０が組み込まれている。シリンダ３０は、シリンダ挿入孔２６の先端部内周に形成されたフランジ２７によって外部への抜止めとされている。また、シリンダ３０は、シリンダ挿入孔２６の後端部内に組み込まれたワッシャ２８および止め輪２９によってシリンダ挿入孔２６の後端開口から抜け出るのが防止されている。
【００３１】
図３および図８に示すように、シリンダ３０は、外筒３１と、その内側に組み込まれた内筒３２とからなる。内筒３２は、キー孔３３を有し、そのキー孔３３にキーを挿入することにより内筒３２は解錠されて回転可能となり、その内筒３２を回転させることによって図１のデッドボルト１５が進退するようになっている。
【００３２】
なお、内筒３２の回転運動をデッドボルト１５の進退動に変換する運動変換機構については、従来から周知の機構であるため、ここでは、図示省略している。
【００３３】
図２に示すように、カラー４０は、内筒部４１およびその内筒部４１の先端から外側後方に折り返されたテーパ状の外筒部４２を有し、上記内筒部４１の後端にコイルスプリング４４の端部を受ける内向きフランジ４３が形成された鋼板のプレス成形品からなっている。
【００３４】
カラー４０はシリンダボディ２１の先端部から外側に嵌合され、その嵌合後に、内筒部４１内へのコイルスプリング４４の組み付けが行われ、上記コイルスプリング４４から内向きフランジ４３に負荷される押圧力によりカラー４０が錠ケース１１側に付勢されて、外筒部４２の後端が扉Ａの室外壁面ａに押し付けられている。
【００３５】
カラー４０は、内筒部４１の軸方向長さを一定として、外筒部４２の軸方向長さが相違する数種のものが用意され、扉Ａの厚さに応じて適切なものが採用される。また、カラー４０は、色彩や外径形状が相違する数種のものが用意され、お客の好みに応じたものがシリンダボディ２１への取り付けとされる。
【００３６】
図２および図８に示すように、保護キャップ５０は、環状板部５１の外周に円筒部５２を設けた鋼板のプレス成形品からなり、上記環状板部５１はシリンダ３０における外筒３１の先端面を覆うことができる大きさとされ、その環状板部５１の中心孔５３に対してシリンダ３０における内筒３２の先端部が挿入可能とされている。
【００３７】
また、円筒部５２は、シリンダボディ２１の小径部２５に嵌合されるインナキャップ６０の外側に嵌合可能な大きさとされている。
【００３８】
インナキャップ６０は、保護キャップ５０の内側においてシリンダボディ２１の小径部２５に嵌合される環状部６１を先端に有し、その環状部６１の後端に軸方向に向く一対の板片６２を対向位置に連設された合成樹脂の成形品からなる。
【００３９】
図４に示すように、インナキャップ６０と小径部２５の相互間に周方向に係合する回り止め手段６３が設けられている。また、図５に示すように、インナキャップ６０と小径部２５の相互間には軸方向に係合する抜止め手段６６が設けられている。
【００４０】
図４および図８に示すように、回り止め手段６３は、一対の板片６２の内周に軸方向に延びる回り止め突条６４を設け、小径部２５の外周には軸方向溝６５を形成し、その軸方向溝６５に対する回り止め突条６４の嵌合によって周方向の係合としている。
【００４１】
図５および図８に示すように、抜止め手段６６は、インナキャップ６０の環状部６１における一方の軸方向端面に、径方向に弾性変形可能な複数の係合爪片６７を周方向に間隔をおいて設け、各係合爪片６７の先端部に内向きの鉤部６８を設け、小径部２５の外周には周方向溝６９を形成し、その周方向溝６９に鉤部６８を係合させてインナキャップ６０の抜止めとしている。
【００４２】
ここで、係合爪片６７は、小径部２５に対するインナキャップ６０の嵌合時に小径部２５の先端面外周に対する鉤部６８の当接により径方向外方に弾性変形する。その変形を容易にするため、鉤部６８の先端面および小径部２５の先端面外周のそれぞれにテーパ面６８ａ、２５ａを設けている。
【００４３】
また、インナキャップ６０に対する保護キャップ５０の嵌合の容易化を図るため、係合爪片６７の外周に先端を薄肉とするテーパ面７０を設け、そのテーパ面７０の周方向幅の中央部に、保護キャップ５０の嵌合による組み付け時、その保護キャップ５０の円筒部５２の内径面を摺動案内するガイド突条７１を設けて、円筒部５２の内径面と環状部６１の外径面間に微小な径差を設けている。
【００４４】
図６に示すように、保護キャップ５０とインナキャップ６０の相互間には、保護キャップ５０を嵌合状態に保持する係合手段７２が設けられている。係合手段７２はインナキャップ６０の環状部６１における一方の軸方向端面に径方向に弾性変形可能な抜止め片７３を設け、その抜止め片７３の先端部外周に設けられた円形の突起部７４を保護キャップ５０の円筒部５２に形成された係合孔７５に係合させるようにしている。
【００４５】
ここで、抜止め片７３は環状部６１より薄肉とされ、径方向内方への弾性変形量を突起部７４の高さ以上とされている。
【００４６】
また、係合孔７５は、扉錠の扉Ａへの取付け状態でカラー４０で覆われる位置に設けられていると共に、シリンダ装置２０を錠ケース１１から取り外し、コイルスプリング４４によってカラー４０が後退動した際に外部に露出する位置に設けられている。
【００４７】
実施の形態で示すシリンダ装置２０は上記の構造からなり、そのシリンダ装置２０の組立てに際しては、錠ケース１１に後端部が支持されたシリンダボディ２１の先端部から外側にカラー４０およびコイルスプリング４４を嵌合し、その後、インナキャップ６０を嵌合して、さらに、その外側に保護キャップ５０を嵌合する。
【００４８】
ここで、インナキャップ６０の嵌合に際しては、そのインナキャップ６０に設けられた回り止め突条６４とシリンダボディ２１の小径部２５に設けられた軸方向溝６５の位置合わせを行って、インナキャップ６０を嵌合する。
【００４９】
インナキャップ６０の嵌合により軸方向溝６５に回り止め突条６４が嵌合し、軸方向溝６５と回り止め突条６４の周方向の係合によってインナキャップ６０は、小径部２５に対して回り止めされる。
【００５０】
また、インナキャップ６０の嵌合初期、小径部２５の先端面外周部に形成されたテーパ面２５ａに対する係合爪片６７の鉤部６８の当接により係合爪片６７が径方向外方に弾性変形して、インナキャップ６０の嵌合を可能とし、鉤部６８が周方向溝６９と対向する位置までインナキャップ６０が嵌合されると、係合爪片６７が形状復元して、周方向溝６９に鉤部６８が係合し、インナキャップ６０は固定の取り付けとされる。
【００５１】
インナキャップ６０の上記のような取付け後、保護キャップ５０に設けられた係合孔７５をインナキャップ６０に設けられた突起部７４に位相合わせして、そのインナキャップ６０の外側に保護キャップ５０を嵌合すると、突起部７４が保護キャップ５０の係合孔７５に係合し、保護キャップ５０が固定の取り付けとされる。そして、その保護キャップ５０によってコイルスプリング４４およびカラー４０が抜止めされる。
【００５２】
このように、シリンダボディ２１の小径部２５に対するインナキャップ６０の嵌合後に保護キャップ５０を嵌合することで保護キャップ５０の取付けとすることができ、工具を用いることなく保護キャップ５０を極めて簡単に取り付けることができる。
【００５３】
また、インナキャップ６０の取付け状態では、回り止め突条６４と軸方向溝６５が係合してインナキャップ６０は回り止めされ、かつ、係合爪片６７の鉤部６８が周方向溝６９に係合してインナキャップ６０が抜止めされ、そのインナキャップ６０の外側に対する保護キャップ５０の嵌合によって、突起部７４が係合孔７５に係合するため、保護キャップ５０を強固に取り付けることができる。
【００５４】
さらに、扉錠１０を扉Ａに取り付ける状態では、図６に示すように、カラー４０は保護キャップ５０の円筒部５２に形成された係合孔７５を覆うため、係合孔７５に対する突起部７４の係合が悪戯によって係合解除されることはなく、安全性に優れた扉錠１０の取り付けとすることができる。
【００５５】
ここで、シリンダ装置２０を錠ケース１１から取り外すと、コイルスプリング４４の弾性力によりカラー４０が後退して、図７に示すように、係合孔７５が外部に露出するため、同図の鎖線で示すピン等の工具Ｔで突起部７４を押し込むことにより、抜止め片７３が径方向内方に弾性変形して係合孔７５に対する突起部７４の係合が解除する。その係合解除によって保護キャップ５０を簡単に取り外すことができる。
【００５６】
また、保護キャップ５０の取り外し後、係合爪片６７の先端部と周方向溝６９間に形成される隙間にドライバ等を差し込んで抉ることにより、係合爪片６７が径方向外方に弾性変形して周方向溝６９に対する鉤部６８の係合が解除し、インナキャップ６０を簡単に取り外すことができる。そして、そのインナキャップ６０を取り外すことで、扉Ａの厚さに応じたカラー４０の取り換えとすることができる。
【符号の説明】
【００５７】
１１  錠ケース
２１  シリンダボディ
３０  シリンダ
３１  外筒
３２  内筒
３３  キー孔
４０  カラー
４４  コイルスプリング
５０  保護キャップ
６０  インナキャップ
６３  回り止め手段
６４  回り止め突条
６５  軸方向溝
６６  抜止め手段
６７  係合爪片
６８  鉤部
６９  周方向溝
７０  テーパ面
７１  ガイド突条
７３  抜止め片
７４  突起部
７５  係合孔
【図１】
0006453031.tif 000002
【図２】
0006453031.tif 000003
【図３】
0006453031.tif 000004
【図４】
0006453031.tif 000005
【図５】
0006453031.tif 000006
【図６】
0006453031.tif 000007
【図７】
0006453031.tif 000008
【図８】
0006453031.tif 000009
【図９】
0006453031.tif 000010